(57)【特許請求の範囲】
【請求項１】
本体と前記本体の左側に設置された上方に開口した養魚池とを含み、前記本体の頂壁の中には上方に開口した餌溝が形成され、前記餌溝の底壁の中には分割空間が設置され、前記分割空間の中には自動給餌装置が設置され、前記自動給餌装置は前記分割空間の後側端壁の中に設置された噛合空間を含み、前記噛合空間と前記分割空間との間には第一回転軸が回転可能に設置され、前記分割空間の中にある前記第一回転軸の外面には分割板が固定的に設置され、前記分割板は前記分割空間を左右二つの分割区に分け、中で前記分割板の左側にある前記分割空間の底壁には投入口が前記養魚池と連通するように設置され、前記分割板の右側にある前記分割空間の頂壁の中には落下溝が前記餌溝と連通するように形成され、前記分割板は回転することで前記分割空間の右側にある餌を前記分割空間の左側に送ることができ、そして餌は前記投入口を通じて前記養魚池の中に入り、前記本体の右側端壁の中には空気押出空間が設置され、前記空気押出空間と前記空気押出空間の端壁の中には酸素溶入装置が設置され、前記空気押出空間の中にピストンがスライド可能に設置され、前記酸素溶入装置は前記ピストンを連動させて上下に移動させることで、空気を前記養魚池の中の液体に送り、前記空気押出空間の左側端壁の中にはベルト空間が設置され、前記ベルト空間の左側端壁の中には回転空間が設置され、前記回転空間と前記回転空間の端壁の中には濾過装置が設置され、前記濾過装置は前記回転空間の中に回転可能に設置された回転台を含み、前記ピストンが下方へ空気を送るときに、前記空気押出空間は前記養魚池と連通するようになり、前記ピストンが上方へ移動するときに、前記養魚池の中の液体は前記回転空間の底壁の中に設置された濾過ブロックの中に吸い込まれ、前記養魚池の中の液体は濾過され、
前記自動給餌装置は前記噛合空間の中にある前記第一回転軸の末端に固定的に設置された第一歯車を含み、前記噛合空間の前側端壁の中には前記回転空間の左側に位置する伝動空間が設置され、前記伝動空間と前記噛合空間との間には第二回転軸が回転可能に設置され、前記伝動空間の中にある前記第二回転軸の末端には第一傘歯車が固定的に設置され、前記噛合空間の中にある前記第二回転軸の外面には第二歯車が固定的に設置され、前記第二歯車の前後両側には前記第二回転軸の外面に回転可能に設置された揺動棒が対称に設置され、前後二本の前記揺動棒の間には前記第二歯車と噛み合った第三歯車が回転可能に設置され、前記揺動棒の中には長孔が設置され、前記噛合空間の右側端壁の中にはガイドスライド溝が形成され、前記ガイドスライド溝の右側端壁の中には電磁石が固定的に設置され、前記ガイドスライド溝の中には前記電磁石と協働できる永久磁石がスライド可能に設置され、前記永久磁石と前記ガイドスライド溝の左側端壁との間には復位ばねが設置され、前記ガイドスライド溝と前記噛合空間との間には第一スライド孔が連通するように設置され、前記第一スライド孔の中には前記永久磁石と固定的に連結された第一スライド棒が前後対称に、且つスライド可能に設置され、前記第一スライド棒において前記永久磁石から離れた側の末端には前記長孔の中にスライド可能に設置された位置制限ブロックが固定的に設置され、
前記本体の頂壁には前記電磁石と協働する感光装置が固定的に設置され、前記感光装置が光を感知したときに、前記電磁石を連動させて一回通電させてから停電させることを特徴とする自動的且つ定期的に給餌できる知能型養魚池。
【請求項２】
前記酸素溶入装置は前記空気押出空間の頂壁の中に設置されたカム空間を含み、前記カム空間と前記空間押出空間との間には第二スライド孔が連通するように設置され、前記第二スライド孔の中には前記ピストンと固定的に連結された第二スライド棒がスライド可能に設置され、前記ピストンと前記空気押出空間の底壁との間には付勢ばねが設置され、前記空気押出空間の右側端壁の中には外部に連通した通気穴が設置され、前記カム空間の中には第三回転軸が回転可能に設置され、前記第三回転軸と前記カム空間の右側端壁の中に固定的に設置された駆動モータとは伝動可能に連結され、前記カム空間の中にある前記第三回転軸の外面にはカムが固定的に設置されていることを特徴とする請求項１に記載の自動的且つ定期的に給餌できる知能型養魚池。
【請求項３】
前記濾過装置は前記回転台の頂壁の中に左右対称に設置されたＬ型管を含み、前記回転台の中には左右を貫通した連通管が設置され、前記回転空間の底壁の中にはＵ型管が設置され、前記濾過ブロックは前記Ｕ型管の中間部に固定的に設置され、前記ベルト空間の右側端壁の中にはロック空間が設置され、前記ロック空間と前記伝動空間との間には第四回転軸が回転可能に設置され、前記伝動空間の中にある前記第四回転軸の末端には前記第一傘歯車と噛み合った第二傘歯車が固定的に設置され、前記回転台は前記回転空間の中にある前記第四回転軸の外面に固定的に設置され、前記ベルト空間の中にある前記第四回転軸の外面には第一プーリが固定的に設置され、前記ロック空間の中にある前記第四回転軸の外面にはロック輪が固定的に設置されていることを特徴とする請求項１に記載の自動的且つ定期的に給餌できる知能型養魚池。
【請求項４】
前記ロック空間の頂壁には下方に開口した第三スライド孔が設置され、前記第三スライド孔の中には前記ロック輪と協働するロック棒がスライド可能に設置され、前記ロック棒と前記第三スライド孔の頂壁との間には引張ばねが弾性を持つように設置され、前記引張ばねの中には左右を貫通した楔形孔が上下対称に設置され、前記空気押出空間の左側端壁の中には前記第三スライド孔を貫通した第四スライド孔が上下対称に設置され、前記第四スライド孔の中には付勢棒がスライド可能に設置され、前記付勢棒と前記第四スライド孔の端壁の中には復位装置が設置され、前記復位装置は前記付勢棒がスライドした後に前記付勢棒を復位させることができることを特徴とする請求項１に記載の自動的且つ定期的に給餌できる知能型養魚池。
【請求項５】
前記ベルト空間の右側端壁の中には捻りばね空間が設置され、前記捻りばね空間と前記ベルト空間との間には第五回転軸が回転可能に設置され、前記ベルト空間の中にある前記第五回転軸の末端には第二プーリが固定的に設置され、前記第二プーリと前記第一プーリとはベルトによって伝動可能に連結され、前記捻りばね空間の中にある前記第五回転軸と前記第三回転軸とは捻りばねによって連結されていることを特徴とする請求項１に記載の自動的且つ定期的に給餌できる知能型養魚池。
【請求項６】
前記養魚池と前記空気押出空間との間には前記回転空間を貫通した汲取管が連通するように設置されていることを特徴とする請求項５に記載の自動的且つ定期的に給餌できる知能型養魚池。
【請求項７】
前記濾過ブロックは取り外し可能な構成を有し、飽和した後に交換されることができることを特徴とする請求項１に記載の自動的且つ定期的に給餌できる知能型養魚池。  
【発明の詳細な説明】
【技術分野】
【０００１】
本願発明は魚類養殖分野を取り上げ、特に自動的且つ定期的に給餌できる知能型養魚池に関わる。
【背景技術】
【０００２】
魚類養殖において、養魚池内の魚に定期的に給餌をする必要がある。しかし、伝統的な養魚池は主に人工給餌を採用し、時間と労力を費やし、且つ餌を定量に補充することもできない。また、伝統的な養魚池は酸素溶入装置も備えず、養殖魚の生存率は低く、さらに、酸素を溶入する過程において、養魚池内の液体に浄化を行うこともできないため、養魚池の水環境は悪化する。従って、自動的且つ定期的に給餌できる知能型養魚池を設計して、上記の問題を解決する必要はある。
【先行技術文献】
【特許文献】
【０００３】
【特許文献１】中国特許出願公開第１０６９７３８４０号明細書
【発明の概要】
【発明が解決しようとする課題】
【０００４】
本願発明は自動的且つ定期的に給餌できる知能型養魚池を提供し、上記の問題を克服でき、実用性を向上させることを目的とする。
【課題を解決するための手段】
【０００５】
上記の問題を解決するため、本願発明は以下の技術的解決策を提供する。
【０００６】
本願発明の自動的且つ定期的に給餌できる知能型養魚池は、本体と前記本体の左側に設置された上方に開口した養魚池とを含み、前記本体の頂壁の中には上方に開口した餌溝が形成され、前記餌溝の底壁の中には分割空間が設置され、前記分割空間の中には自動給餌装置が設置され、前記自動給餌装置は前記分割空間の後側端壁の中に設置された噛合空間を含み、前記噛合空間と前記分割空間との間には第一回転軸が回転可能に設置され、前記分割空間の中にある前記第一回転軸の外面には分割板が固定的に設置され、前記分割板は前記分割空間を左右二つの分割区に分け、中で前記分割板の左側にある前記分割空間の底壁には投入口が前記養魚池と連通するように設置され、前記分割板の右側にある前記分割空間の頂壁の中には落下溝が前記餌溝と連通するように形成され、前記分割板は回転することで前記分割空間の右側にある餌を前記分割空間の左側に送ることができ、そして餌は前記投入口を通じて前記養魚池の中に入り、前記本体の右側端壁の中には空気押出空間が設置され、前記空気押出空間と前記空気押出空間の端壁の中には酸素溶入装置が設置され、前記空気押出空間の中にピストンがスライド可能に設置され、前記酸素溶入装置は前記ピストンを連動させて上下に移動させることで、空気を前記養魚池の中の液体に送り、前記空気押出空間の左側端壁の中にはベルト空間が設置され、前記ベルト空間の左側端壁の中には回転空間が設置され、前記回転空間と前記回転空間の端壁の中には濾過装置が設置され、前記濾過装置は前記回転空間の中に回転可能に設置された回転台を含み、前記ピストンが下方へ空気を送るときに、前記空気押出空間は前記養魚池と連通するようになり、前記ピストンが上方へ移動するときに、前記養魚池の中の液体は前記回転空間の底壁の中に設置された濾過ブロックの中に吸い込まれ、前記養魚池の中の液体は濾過される。
【０００７】
さらに、前記自動給餌装置は前記噛合空間の中にある前記第一回転軸の末端に固定的に設置された第一歯車を含み、前記噛合空間の前側端壁の中には前記回転空間の左側に位置する伝動空間が設置され、前記伝動空間と前記噛合空間との間には第二回転軸が回転可能に設置され、前記伝動空間の中にある前記第二回転軸の末端には第一傘歯車が固定的に設置され、前記噛合空間の中にある前記第二回転軸の外面には第二歯車が固定的に設置され、前記第二歯車の前後両側には前記第二回転軸の外面に回転可能に設置された揺動棒が対称に設置され、前後二本の前記揺動棒の間には前記第二歯車と噛み合った第三歯車が回転可能に設置され、前記揺動棒の中には長孔が設置され、前記噛合空間の右側端壁の中にはガイドスライド溝が形成され、前記ガイドスライド溝の右側端壁の中には電磁石が固定的に設置され、前記ガイドスライド溝の中には前記電磁石と協働できる永久磁石がスライド可能に設置され、前記永久磁石と前記ガイドスライド溝の左側端壁との間には復位ばねが設置され、前記ガイドスライド溝と前記噛合空間との間には第一スライド孔が連通するように設置され、前記第一スライド孔の中には前記永久磁石と固定的に連結された第一スライド棒が前後対称に、且つスライド可能に設置され、前記第一スライド棒において前記永久磁石から離れた側の末端には前記長孔の中にスライド可能に設置された位置制限ブロックが固定的に設置されている。
【０００８】
さらに、前記酸素溶入装置は前記空気押出空間の頂壁の中に設置されたカム空間を含み、前記カム空間と前記空間押出空間との間には第二スライド孔が連通するように設置され、前記第二スライド孔の中には前記ピストンと固定的に連結された第二スライド棒がスライド可能に設置され、前記ピストンと前記空気押出空間の底壁との間には付勢ばねが設置され、前記空気押出空間の右側端壁の中には外部に連通した通気穴が設置され、前記カム空間の中には第三回転軸が回転可能に設置され、前記第三回転軸と前記カム空間の右側端壁の中に固定的に設置された駆動モータとは伝動可能に連結され、前記カム空間の中にある前記第三回転軸の外面にはカムが固定的に設置されている。
【０００９】
さらに、前記濾過装置は前記回転台の頂壁の中に左右対称に設置されたＬ型管を含み、前記回転台の中には左右を貫通した連通管が設置され、前記回転空間の底壁の中にはＵ型管が設置され、前記濾過ブロックは前記Ｕ型管の中間部に固定的に設置され、前記ベルト空間の右側端壁の中にはロック空間が設置され、前記ロック空間と前記伝動空間との間には第四回転軸が回転可能に設置され、前記伝動空間の中にある前記第四回転軸の末端には前記第一傘歯車と噛み合った第二傘歯車が固定的に設置され、前記回転台は前記回転空間の中にある前記第四回転軸の外面に固定的に設置され、前記ベルト空間の中にある前記第四回転軸の外面には第一プーリが固定的に設置され、前記ロック空間の中にある前記第四回転軸の外面にはロック輪が固定的に設置されている。
【００１０】
さらに、前記ロック空間の頂壁には下方に開口した第三スライド孔が設置され、前記第三スライド孔の中には前記ロック輪と協働するロック棒がスライド可能に設置され、前記ロック棒と前記第三スライド孔の頂壁との間には引張ばねが弾性を持つように設置され、前記引張ばねの中には左右を貫通した楔形孔が上下対称に設置され、前記空気押出空間の左側端壁の中には前記第三スライド孔を貫通した第四スライド孔が上下対称に設置され、前記第四スライド孔の中には付勢棒がスライド可能に設置され、前記付勢棒と前記第四スライド孔の端壁の中には復位装置が設置され、前記復位装置は前記付勢棒がスライドした後に前記付勢棒を復位させることができる。
【００１１】
さらに、前記ベルト空間の右側端壁の中には捻りばね空間が設置され、前記捻りばね空間と前記ベルト空間との間には第五回転軸が回転可能に設置され、前記ベルト空間の中にある前記第五回転軸の末端には第二プーリが固定的に設置され、前記第二プーリと前記第一プーリとはベルトによって伝動可能に連結され、前記捻りばね空間の中にある前記第五回転軸と前記第三回転軸とは捻りばねによって連結されている。
【００１２】
さらに、前記養魚池と前記空気押出空間との間には前記回転空間を貫通した汲取管が連通するように設置されている。
【００１３】
さらに、前記本体の頂壁には前記電磁石と協働する感光装置が固定的に設置され、前記感光装置が光を感知したときに、前記電磁石を連動させて一回通電させてから停電させる。
【００１４】
さらに、前記濾過ブロックは取り外し可能な構成を有し、飽和した後に交換されることができる。
【発明の効果】
【００１５】
本願発明は以下のプラス効果を有する：本願発明は自動的に昼夜を判断することで、餌の補給をコントロールし、自動的な給餌を可能にし、同時に本願発明には養魚池に対する酸素溶入用の設備も設置され、養魚池内の酸素含有量を増え、魚の生存率を高め、さらに、本願発明は酸素溶入の過程において、養魚池内の液体を濾過でき、水環境を改善でき、生産に便利で、普及に値する。
【図面の簡単な説明】
【００１６】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の自動的且つ定期的に給餌できる知能型養魚池の全体構成略図
【図２】図２は図１におけるＡの拡大構成略図
【図３】図３は図１におけるＢ―Ｂの構成略図
【図４】図４は図１におけるＣ―Ｃの構成略図
【図５】図５は図４におけるＤ―Ｄの構成略図
【発明を実施するための形態】
【００１８】
図１〜５に記載の自動的且つ定期的に給餌できる知能型養魚池を合わせ、本願発明の自動的且つ定期的に給餌できる知能型養魚池の実施例は、本体１０と前記本体１０の左側に設置された上方に開口した養魚池３２とを含み、前記本体１０の頂壁の中には上方に開口した餌溝１１が形成され、前記餌溝１１の底壁の中には分割空間３６が設置され、前記分割空間３６の中には自動給餌装置９９が設置され、前記自動給餌装置９９は前記分割空間３６の後側端壁の中に設置された噛合空間６２を含み、前記噛合空間６２と前記分割空間３６との間には第一回転軸３５が回転可能に設置され、前記分割空間３６の中にある前記第一回転軸３５の外面には分割板３７が固定的に設置され、前記分割板３７は前記分割空間３６を左右二つの分割区に分け、中で前記分割板３７の左側にある前記分割空間３６の底壁には投入口３４が前記養魚池３２と連通するように設置され、前記分割板３７の右側にある前記分割空間３６の頂壁の中には落下溝３８が前記餌溝１１と連通するように形成され、前記分割板３７は回転することで前記分割空間３６の右側にある餌を前記分割空間３６の左側に送ることができ、そして餌は前記投入口３４を通じて前記養魚池３２の中に入り、前記本体１０の右側端壁の中には空気押出空間２０が設置され、前記空気押出空間２０と前記空気押出空間２０の端壁の中には酸素溶入装置９８が設置され、前記空気押出空間２０の中にピストン１７がスライド可能に設置され、前記酸素溶入装置９８は前記ピストン１７を連動させて上下に移動させることで、空気を前記養魚池３２の中の液体に送り、前記空気押出空間２０の左側端壁の中にはベルト空間４３が設置され、前記ベルト空間４３の左側端壁の中には回転空間２３が設置され、前記回転空間２３と前記回転空間２３の端壁の中には濾過装置９７が設置され、前記濾過装置９７は前記回転空間２３の中に回転可能に設置された回転台２４を含み、前記ピストン１７が下方へ空気を送るときに、前記空気押出空間２０は前記養魚池３２と連通するようになり、前記ピストン１７が上方へ移動するときに、前記養魚池３２の中の液体は前記回転空間２３の底壁の中に設置された濾過ブロック２７の中に吸い込まれ、前記養魚池３２の中の液体は濾過される。
【００１９】
好ましくは、前記自動給餌装置９９は前記噛合空間６２の中にある前記第一回転軸３５の末端に固定的に設置された第一歯車６１を含み、前記噛合空間６２の前側端壁の中には前記回転空間２３の左側に位置する伝動空間３１が設置され、前記伝動空間３１と前記噛合空間６２との間には第二回転軸６０が回転可能に設置され、前記伝動空間３１の中にある前記第二回転軸６０の末端には第一傘歯車３０が固定的に設置され、前記噛合空間６２の中にある前記第二回転軸６０の外面には第二歯車７２が固定的に設置され、前記第二歯車７２の前後両側には前記第二回転軸６０の外面に回転可能に設置された揺動棒６３が対称に設置され、前後二本の前記揺動棒６３の間には前記第二歯車７２と噛み合った第三歯車５９が回転可能に設置され、前記揺動棒６３の中には長孔６４が設置され、前記噛合空間６２の右側端壁の中にはガイドスライド溝７１が形成され、前記ガイドスライド溝７１の右側端壁の中には電磁石７０が固定的に設置され、前記ガイドスライド溝７１の中には前記電磁石７０と協働できる永久磁石６９がスライド可能に設置され、前記永久磁石６９と前記ガイドスライド溝７１の左側端壁との間には復位ばね６８が設置され、前記ガイドスライド溝７１と前記噛合空間６２との間には第一スライド孔６７が連通するように設置され、前記第一スライド孔６７の中には前記永久磁石６９と固定的に連結された第一スライド棒６６が前後対称に、且つスライド可能に設置され、前記第一スライド棒６６において前記永久磁石６９から離れた側の末端には前記長孔６４の中にスライド可能に設置された位置制限ブロック６５が固定的に設置されている。
【００２０】
好ましくは、前記酸素溶入装置９８は前記空気押出空間２０の頂壁の中に設置されたカム空間１３を含み、前記カム空間１３と前記空間押出空間２０との間には第二スライド孔１６が連通するように設置され、前記第二スライド孔１６の中には前記ピストン１７と固定的に連結された第二スライド棒４８がスライド可能に設置され、前記ピストン１７と前記空気押出空間２０の底壁との間には付勢ばね１９が設置され、前記空気押出空間２０の右側端壁の中には外部に連通した通気穴１８が設置され、前記カム空間１３の中には第三回転軸５０が回転可能に設置され、前記第三回転軸５０と前記カム空間１３の右側端壁の中に固定的に設置された駆動モータ１５とは伝動可能に連結され、前記カム空間１３の中にある前記第三回転軸５０の外面にはカム１４が固定的に設置されている。
【００２１】
好ましくは、前記濾過装置９７は前記回転台２４の頂壁の中に左右対称に設置されたＬ型管２５を含み、前記回転台２４の中には左右を貫通した連通管２６が設置され、前記回転空間２３の底壁の中にはＵ型管２８が設置され、前記濾過ブロック２７は前記Ｕ型管２８の中間部に固定的に設置され、前記ベルト空間４３の右側端壁の中にはロック空間２１が設置され、前記ロック空間２１と前記伝動空間３１との間には第四回転軸５４が回転可能に設置され、前記伝動空間３１の中にある前記第四回転軸５４の末端には前記第一傘歯車３０と噛み合った第二傘歯車２９が固定的に設置され、前記回転台２４は前記回転空間２３の中にある前記第四回転軸５４の外面に固定的に設置され、前記ベルト空間４３の中にある前記第四回転軸５４の外面には第一プーリ２２が固定的に設置され、前記ロック空間２１の中にある前記第四回転軸５４の外面にはロック輪５６が固定的に設置されている。  
【００２２】
好ましくは、前記ロック空間２１の頂壁には下方に開口した第三スライド孔５８が設置され、前記第三スライド孔５８の中には前記ロック輪５６と協働するロック棒５７がスライド可能に設置され、前記ロック棒５７と前記第三スライド孔５８の頂壁との間には引張ばね４４が弾性を持つように設置され、前記引張ばね４４の中には左右を貫通した楔形孔７３が上下対称に設置され、前記空気押出空間２０の左側端壁の中には前記第三スライド孔５８を貫通した第四スライド孔４６が上下対称に設置され、前記第四スライド孔４６の中には付勢棒４５がスライド可能に設置され、前記付勢棒４５と前記第四スライド孔４６の端壁の中には復位装置４７が設置され、前記復位装置４７は前記付勢棒４５がスライドした後に前記付勢棒４５を復位させることができる。
【００２３】
好ましくは、前記ベルト空間４３の右側端壁の中には捻りばね空間３９が設置され、前記捻りばね空間３９と前記ベルト空間４３との間には第五回転軸４０が回転可能に設置され、前記ベルト空間４３の中にある前記第五回転軸４０の末端には第二プーリ４１が固定的に設置され、前記第二プーリ４１と前記第一プーリ２２とはベルト４２によって伝動可能に連結され、前記捻りばね空間３９の中にある前記第五回転軸４０と前記第三回転軸５０とは捻りばね５３によって連結されている。
【００２４】
好ましくは、前記養魚池３２と前記空気押出空間２０との間には前記回転空間２３を貫通した汲取管３３が連通するように設置されている。
【００２５】
好ましくは、前記本体１０の頂壁には前記電磁石７０と協働する感光装置１２が固定的に設置され、前記感光装置１２が光を感知したときに、前記電磁石７０を連動させて一回通電させてから停電させる。
【００２６】
好ましくは、前記濾過ブロック２７は取り外し可能な構成を有し、飽和した後に交換されることができる。
【００２７】
本実施例に記載の固定的連結方法はボルト固定や溶接などの方法を含むが、これらに限定されない。
【００２８】
装置全体の作動手順は以下の通りである。
【００２９】
１、本願発明は作動するときに、餌を前記餌溝１１の中に置き、前記駆動モータ１５を作動させ、前記カム１４を連動させて正逆回転させ、前記カム１４は正回転するときに百八十度回転し、この時に前記カム１４は前記第二スライド棒４８を下方へ押し、前記第二スライド棒４８は前記ピストン１７を連動させて下方へ移動させ、この時に前記ピストン１７は前記空気押出空間２０の中の空気を前記汲取管３３を通じて前記養魚池３２の中の液体に送り、前記養魚池３２の中の酸素含有量を増え、前記ピストン１７が下方へ移動した後、上方の前記付勢棒４５は前記復位装置４７によって右方へ移動し、この時に前記ロック棒５７は前記引張ばね４４によって前記ロック輪５６の中に挿入され、前記ロック輪５６をロックし、この時に前記第三回転軸５０は回転して前記捻りばね５３を連動させて回転させ、この時に前記ロック輪５６はロックされたため、前記捻りばね５３は第五回転軸４０を連動させて回転させることができなく、前記捻りばね５３はエネルギーを貯める。
【００３０】
２、前記ピストン１７が前記空気押出空間２０の下方に降下して下方の前記付勢棒４５と当接したときに、前記付勢棒４５は駆動されて左方へ移動し、前記付勢棒４５が左方へ移動することで前記ロック棒５７は駆動されて上方へ移動し、前記ロック輪５６の中の歯溝から出され、この時に前記ロック輪５６のロック状態は解除され、前記捻りばね５３は弾性位置エネルギーを解放して前記第二プーリ４１を連動させて回転させ、さらに前記第一プーリ２２を連動させて回転させ、前記第一プーリ２２は回転することで前記回転台２４を百八十度回転させ、この時に前記連通管２６は前記汲取管３３と前記Ｕ型管２８とを連通し、この時に前記駆動モータ１５を作動させて引き続き回転させ、この時に前記ピストン１７は前記付勢ばね１９によって上昇し、下側の前記付勢棒４５は前記復位装置４７によって右方へ移動し、この時に前記ロック棒５７は前記引張ばね４４によって前記ロック輪５６の中に挿入され、前記ロック輪５６をロックし、この時に前記第三回転軸５０は回転して前記捻りばね５３を連動させて回転させ、この時に前記ロック輪５６はロックされたため、前記捻りばね５３は前記第五回転軸４０を連動させて回転させることができなく、前記捻りばね５３はエネルギーを貯める。
【００３１】
３、前記ピストン１７は上昇する過程において、前記養魚池３２の中の水を汲み取り、前記汲取管３３を通じて前記Ｕ型管２８の中に送り、水は前記濾過ブロック２７に濾過された後に前記空気押出空間２０の中に入り、前記ピストン１７が上昇して上方の前記付勢棒４５と当接したときに、前記付勢棒４５は左方へ移動して前記ロック棒５７を連動させて上昇させ、この時に前記ロック棒５７は前記ロック輪５６の中の歯溝から出され、この時に前記ロック輪５６のロック状態を解除し、この時に前記捻りばね５３は弾性位置エネルギーを解放して前記第二プーリ４１を連動させて回転させ、さらに前記第一プーリ２２を連動させて回転させ、前記第一プーリ２２は回転することで前記回転台２４を連動させて百八十度回転させ、この時に前記連通管２６は前記汲取管３３の両側を連通し、この時に前記空気押出空間２０と外部空気とは前記通気穴１８によって連通され、前記空気押出空間２０の中の水は前記汲取管３３を通じて前記養魚池３２の中に戻る。
【００３２】
４、前記感光装置１２が日差しを感知したときに、前記電磁石７０を制御して一回通電させてから停電させ、前記電磁石７０が通電されるときに、前記電磁石７０は前記永久磁石６９を排斥して左方へ移動させ、そして前記第一スライド棒６６は駆動されて左方へ移動し、さらに前記復位ばね６８は駆動されて左方へ揺れ、この時に前記第三歯車５９は前記第一歯車６１と噛み合い、前記回転台２４が回転するときに、前記第二傘歯車２９は回転して前記第一傘歯車３０を連動させて回転させ、そして前記第二歯車７２は駆動されて回転し、さらに前記第三歯車５９は駆動されて回転し、さらに前記第一歯車６１は駆動されて回転し、さらに前記分割板３７は駆動されて回転し、この時に前記分割板３７は前記分割板３７の右側にある餌を前記分割空間３６の左方へ送り、この時に餌は前記投入口３４を通じて前記養魚池３２の中に入り、給餌を可能にし、この時に前記電磁石７０は停電され、前記電磁石７０は右方へ前記永久磁石６９を吸引し、この時に前記永久磁石６９は前記復位ばね６８を連動させて右方へ揺らして復位させ、この時に設備は図面状態に戻る。
【００３３】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】      （修正有）【課題】自動的且つ定期的に給餌できる知能型養魚池の提供。【解決手段】自動的且つ定期的に給餌できる知能型養魚池を開示し、本体１０と前記本体１０の左側に設置された上方に開口した養魚池３２とを含み、前記本体１０の頂壁の中には上方に開口した餌溝１１が形成され、前記餌溝１１の底壁の中には分割空間３６が設置され、前記分割空間３６の中には自動給餌装置９９が設置され、前記自動給餌装置９９は前記分割空間３６の後側端壁の中に設置された噛合空間を含み、自動的に昼夜を判断することで、餌の補給をコントロールし、自動的な給餌を可能にし、同時に養魚池３２に対する酸素溶入用の設備も設置され、養魚池３２内の酸素含有量を増やし、魚の生存率を高め、さらに、酸素溶入の過程において、養魚池３２内の液体を濾過でき、水環境を改善できる。【選択図】図１【図１】
0006807501.tif 000002
【図２】
0006807501.tif 000003
【図３】
0006807501.tif 000004
【図４】
0006807501.tif 000005
【図５】
0006807501.tif 000006